(57)【特許請求の範囲】
【請求項１】
温水を供給する熱源機と、前記温水を熱交換し暖められた空気を送風機で室内に送出する放熱機と、前記温水を循環して室内を暖房する床暖房パネルからなる放熱機と、前記熱源機と各放熱機との間を温水を循環する温水配管からなる温水経路を備え、前記熱源機と床暖房パネルからなる放熱機を接続する温水経路の適所に、往き側の温水を戻り側の温水で熱交換させるようにした温水熱交換器を設け、前記温水熱交換器は内側に高温の温水が流れる温水経路を配し、その周囲を満たすように低温の温水が流れる温水経路を設け密閉された缶体構造よりなる温水暖房装置。
【請求項２】
温水熱交換器は内側にパイプを螺旋状にした温水管を設け、その周囲を温水が満たすような缶体構造とし、前記温水管と缶体にはそれぞれ温水配管と接続を行う入出口接続部を設けてなる請求項１記載の温水暖房装置。
【請求項３】
温水熱交換器は内側にパイプと放熱フィンで構成する熱交換部を設け、その周囲を温水が満たすような缶体構造とし、前記熱交換部と缶体にはそれぞれ温水配管との接続を行う入出口接続部を設けてなる請求項１または２記載の温水暖房装置。
【請求項４】
温水熱交換器の缶体は断熱構造とした請求項１ないし３のいずれか１項記載の温水暖房装置。
【請求項５】
温水熱交換器の入出口接続部は入口側接続部と出口側接続部を対向する位置に配した請求項２または３記載の温水暖房装置。
【請求項６】
温水熱交換器には、流量調節バルブを設け、循環流量が調節できるようにした請求項１ないし３のいずれか１項記載の温水暖房装置。
【発明の詳細な説明】
【０００１】
【発明の属する技術分野】
本発明は温水を用いて室内の暖房を行う温水暖房装置に関するものである。
【０００２】
【従来の技術】
一般にこの種の温水暖房装置には図７に示すように室外に温水を供給する熱源機１を設け、この温水を熱源機１に内蔵する温水循環手段により温水配管を介して室内に設置した熱交換器２ａと温風ファン２ｂを内蔵する放熱機２に循環し、温風ファン２ｂからの送風を熱交換して温風を吹き出し室内を暖房する温風暖房方式や、断熱材料等によって形成されたパネルの内部に温水を循環する放熱パイプ３ａを埋設して構成した床暖房パネル３に前記熱源機より温水を供給して部屋を暖房する床暖房方式や、前記放熱機２と床暖房パネル３に同一の熱源機１より、同時に温水を供給して部屋を暖房する温風暖房と床暖房の併用暖房方式などがある。そして、放熱機２のみを用いた温風暖房運転時は熱源機１で作られた高温の温水を直接放熱機２に供給して暖房を行うため問題はないが、床暖房パネル３を用いた床暖房運転時は熱源機１で作られる温水を直接供給すると温度が高すぎるため、温水配管の途中に流量を調節する流量調節バルブ４を設けたりして温水の温度を下げてから床暖房パネル３に供給するようにしている。また、温風暖房と床暖房を併用して運転する場合は、高温の温水を必要とする温風暖房と低い温度の温水で暖房する床暖房が同一の温水経路に接続されているため、熱源機１から床暖房パネル３に供給する温水配管の途中に流量を調節する流量調節バルブ４を設けたり、この温水の温度に応じて自動的に流量を調節する温調弁を設けたり、また床暖房パネルに供給する温水を間欠的に行うなどして、放熱機２側には高温の温水を供給し、床暖房パネル３側には床暖房に適した温度に調節した温水を供給するようにしている。また、近年では上記併用暖房運転の構成として、温風暖房経路と床暖房経路をそれぞれ独立して設け、高温の温水が循環する温風暖房経路の温水で床暖房経路の温水を間接的に加熱して床暖房に適した温水を確保するという構成も考案されている。
【０００３】
このように、床暖房に用いる温水の温度は６０℃以下が適当であるのに対し、熱源機１から供給される温水の温度は約８０℃と高いため、床暖房単独運転時や温風暖房との併用運転時は床暖房パネル３側に供給する温水の温度を下げるべく、上記したような構成が採られていた。
【０００４】
【発明が解決しようとする課題】
しかしながら、従来のように床暖房パネルに供給する温水の温度を床暖房経路に設けた流量調節バルブや温調弁で流量を調節して行うという方法では床暖房に適した約６０℃の温水温度を確保するためには極端に流量を制限し、ゆっくりとした速度で温水を循環させる必要がある。このため、床暖房パネルでは放熱状態が入口部から出口部にかけて比較的大きく変化する状態を示し、入口部と出口部の温度差が極端に大きくなる。つまり、床暖房パネル内における温度分布が極めて悪くなり、入口部近傍では暖かく感じるが、出口部近傍になるほど寒く感じることになる。
【０００５】
また、微少流量に調整するということから変動要因が多く、流量調整バルブの変動や温水循環用ポンプの圧力変動等でも流量が微妙に変動し、温水温度が大きく変動することになって床暖房パネルの温度に影響することになる。
【０００６】
また、温風暖房経路の温水で床暖房経路の温水を間接的に加熱するというものにおいては温水温度は比較的安定して確保できるが、暖房経路が２回路必要になり構成が複雑になるとともに床暖房経路の温水を確保するときは、必ず温風暖房経路の運転が必要となり、温風暖房をしない場合でも運転をしておかなければならないという使い勝手の極めて悪いものであった。
【０００７】
本発明は上記問題点を解決し、温風暖房と床暖房を１つの温水回路で併用運転するような場合でも温風暖房に必要な高温の温水と床暖房に適した温度の低い温水をそれぞれ安定して供給することを目的としている。
【０００８】
【課題を解決するための手段】
本発明は上記の課題を解決するためなされたものであり、温水を供給する熱源機と、前記温水を熱交換し暖められた空気を送風機で室内に送出する放熱機と、前記温水を循環して室内を暖房する床暖房パネルからなる放熱機と、前記熱源機と各放熱機との間を温水を循環する温水配管からなる温水経路を備え、前記熱源機と床暖房パネルからなる放熱機を接続する温水経路の適所に、往き側の温水を戻り側の温水で熱交換させるようにした温水熱交換器を設け、前記温水熱交換器は内側に高温の温水が流れる温水経路を配し、その周囲を満たすように低温の温水が流れる温水経路を設け密閉された缶体構造よりなるものである。
【０００９】
上記発明によれば、熱源機より供給される高温の往き側温水は、温水熱交換器により床暖房パネルからなる放熱機を経由して温度が下がった戻り側温水で熱交換されことになり、前記温水熱交換器の往き側出口部温度、すなわち床暖房パネルからなる放熱機の入口側温度は低下することになり、所望の温度の温水を供給することが可能となる。
【００１０】
反対に、床暖房パネルからなる放熱機への戻り側温水温度は前記温水熱交換器により床暖房パネルからなる放熱機の出口部温度より上昇した状態で戻ることになるため、熱源機の燃費が改善されることになる。
【００１１】
また、床暖房パネルには温度の低い温水を供給し、放熱機側には熱源機より直接高温の温水を供給することができるので、同一経路において異なる温度の温水を確保するのに複雑な構成を必要とせず、簡単な構成で安定して所望の温水を供給することができる。
【００１２】
そして、熱源機から供給される高温の往き側温水経路を内側に配し、その周囲を満たすように放熱装置で損失した温度の低い戻り側温水経路を所定の容量を確保するように缶体構造とすることで、往き側温水と戻り側温水の熱交換を効果的におこなうことができ床暖房等で要望される温度の低い温水を確保することができる。
【００１３】
【発明の実施の形態】
本発明の請求項１の発明は温水を供給する熱源機と、前記温水を熱交換し暖められた空気を送風機で室内に送出する放熱機と、前記温水を循環して室内を暖房する床暖房パネルからなる放熱機と、前記熱源機と各放熱機との間を温水を循環する温水配管からなる温水経路を備え、前記熱源機と床暖房パネルからなる放熱機を接続する温水経路の適所に、往き側の温水を戻り側の温水で熱交換させるようにした温水熱交換器を設け、前記温水熱交換器は内側に高温の温水が流れる温水経路を配し、その周囲を満たすように低温の温水が流れる温水経路を設け密閉された缶体構造よりなるようにしている。
【００１４】
そして、同一経路の往き側温水と戻り側温水を温水配管の途中で熱交換させるように二重構造とした温水熱交換器を設けることで、往き側温水の温度を下げ、戻り側温水の温度を上昇させるようにすることができるため、微少流量にして温水温度を調節するという煩わしい作業を必要とせず、温度の低い温水で暖房をする床暖房への温水供給が可能となり、さらに戻り側温水温度を上昇するため熱源機の燃費も改善することができる。
【００１５】
そして、放熱機を用いた温風暖房と床暖房パネルに温水を循環して暖房する床暖房を同一経路で併用運転する場合、床暖房側の温水配管の途中に往き側温水と戻り側温水を熱交換させるように二重構造とした温水熱交換器を設けることで、床暖房パネルには温度の低い温水を供給し、放熱機側には熱源機より直接高温の温水を供給することができる。このように、同一経路において異なる温度の温水を確保するのに複雑な構成を必要とせず、簡単な構成で安定して所望の温水を供給することができる。
【００１６】
また、温水熱交換器は内側に高温の温水が流れる温水経路を配し、その周囲を満たすように低温の温水が流れる温水経路を設けた密閉された缶体構造としている。
【００１７】
そして、熱源機から供給される高温の往き側温水経路を内側に配し、その周囲を満たすように放熱機で損失した温度の低い戻り側温水経路を所定の容量を確保するように缶体構造とすることで、往き側温水と戻り側温水の熱交換を効果的におこなうことができ床暖房で要望される温度の低い温水を確保することができる。
【００１８】
また、請求項２の発明は温水熱交換器は内側にパイプを螺旋状にした温水管を設け、その周囲を温水が満たすような缶体構造とし、前記温水管と缶体にはそれぞれ温水配管と接続を行う入出口接続部を設けている。
【００１９】
そして、温水熱交換器の内側に配した往き側温水経路を螺旋状にしたパイプで形成することで、戻り側温水との熱交換面積を増大して、コンパクトな形状で効果的に熱交換を行うようにしている。
【００２０】
また、請求項３の発明は温水熱交換器は内側にパイプと放熱フィンで構成する熱交換部を設け、その周囲を温水が満たすような缶体構造とし、前記熱交換部と缶体にはそれぞれ温水配管との接続を行う入出口接続部を設けている。
【００２１】
そして、温水熱交換器の内側に配した往き側温水管に熱交換用の放熱フィンを取り付け、戻り側温水との熱交換面積をより増大させることで、熱交換効率を改善しコンパクト化を図ることができる。
【００２２】
また、請求項４の発明は温水熱交換器の缶体は断熱構造としている。そして、戻り温水経路を形成する缶体は樹脂材料等を用いた断熱構造とすることで、缶体からの放熱を抑制し、戻り側の温水温度が低下するのを防止して、効果的な熱交換を行うようにしている。
【００２３】
また、請求項５の発明は温水熱交換器の入出口接続部は入口側接続部と出口側接続部を対向するような位置に設けている。
【００２４】
そして、温水熱交換器内における往き側温水と戻り側温水が全体的に熱交換するようにし、戻り側温水経路のショートサーキットによる不完全な熱交換を防止することで効果的に熱交換を行うようにしている。
【００２５】
また、請求項６の発明は温水熱交換器は、温水管両端および缶体に設けた入出口接続部のいずれか１箇所またはその近傍の温水配管に流量調節バルブを設け、循環流量が調節できるようにしている。
【００２６】
そして、温水熱交換器を流れる流量を調節することで、床暖房パネル等の放熱装置に供給する温水の温度を調節することができるため、床暖房パネルの容量などに応じて容易に温度調節が可能となり、使い勝手が極めて向上するものである。
【００２７】
【実施例】
以下本発明の実施例について図面に基づき説明する。
【００２８】
（実施例１）
まず、図１を用いて本発明の実施例１の温水暖房装置の構成を説明する。
【００２９】
２１は温水を供給するための熱源機、２２は前記温水を循環し放熱して暖房するための放熱機で放熱パイプ２２ａが埋設されている。２３は熱源機２１より放熱機２２に温水を供給するための往き側温水経路、２４は放熱機２２からの温水を熱源機１に戻すための戻り側温水経路、２５は往き側温水経路２３と戻り側温水経路２４を二重構造とし、往き側温水を戻り側温水で熱交換するようにした温水熱交換器で、内側に高温の温水が流れる往き側温水経路２３で構成した熱交換部２５ａと、その周囲を満たすように戻り側温水を貯湯する缶体２５ｂで構成し、前記熱交換部２５ａには熱源機２１側に往き側入口接続部２５ｃを備え、放熱機２２側には往き側出口接続部２５ｄが設けられている。また、缶体２５ｂにも放熱機２２側に戻り側入口接続部２５ｅを備え、熱源機２１側には戻り側出口接続部２５ｆが設けられている。そして、前記戻り側入口接続部２５ｅと戻り側出口接続部２５ｆは対向するような位置に設けるようにして、戻り側温水が温水熱交換器２５内でショートサーキットを形成するのを防止するようにしている。
【００３０】
また、前記缶体２５ｂは樹脂材料などを用いた断熱構造とし、戻り側温水の放熱を抑制するようにしている。
【００３１】
次に、上記のように構成された温水暖房装置の動作について説明する。
【００３２】
まず、熱源機２１で所定温度の温水が作られ、熱源機２１に備えられた循環ポンプ（図示せず）で往き側温水経路２３を経由して、放熱機２２に搬送される。そして、放熱装置２２に埋設された放熱パイプ２２ａに温水が流れるときの放熱による熱で暖房する。そして、この放熱機２２による室内での放熱により熱源機２１より供給された温水は温度を下げて戻り側温水経路２４より再度熱源機２１に戻る。この温水の循環を繰り返すことで暖房を継続する訳であるが、床暖房などのように床に敷設して使用者が直に触れて暖房をとるような放熱機２２の場合は、熱源機２１で作った温水を直接供給すると温度が高すぎて使用者は暑く感じ不快感を持つものであった。このため往き側温水経路２３と戻り側温水経路２４を二重構造とした温水熱交換器２５を放熱装置２２の循環経路に配して、放熱機２２に供給する温水の温度を下げるようにしている。つまり、温水熱交換器２５には往き側温水が流れる熱交換部２５ａとその周囲を満たすように放熱装置２２で温度が下がった戻り側温水が流れる缶体２５ｂを備え、熱源機２１より供給される高温の温水を温度の下がった戻り側温水により熱交換するようにして、温水熱交換器２５の往き側入口接続部２５ｃの高温の温水を熱交換して往き側出口接続部２５ｄより温度を下げて放熱装置２２に供給し、放熱機２２でさらに低下した温水を戻り側入口接続部２５ｅより温水熱交換器２５の缶体２５ｂに流入し、熱交換部２５ａとの熱交換で温度を上昇させて戻り側出口接続部２５ｆより熱源機２１に戻すようにしている。
【００３３】
図２は各部の温度状態を経時的に示すもので、上記動作時における温水温度の変化特性を示したものである。つまり、特性（Ａ）は往き側入口接続部２５ｃの温水温度を示し、特性（Ｂ）は往き側出口接続部２５ｄすなわち放熱機２２に供給される温水温度の状態を示し、特性（Ｃ）は戻り側入口接続部２５ｅの温水温度を示し、特性（Ｄ）は戻り側出口接続部２５ｆすなわち熱源機２１への戻り側温水の温度を示すものである。
【００３４】
このように、往き側の温水と戻り側の温水を熱交換させる構成とすることで、複雑な温水回路の構成を必要とせず、また、微少な流量調節で温水温度の制御をする必要がなくなるため、温水回路の簡素化と安定した温水温度の確保が可能となり、さらに、熱源機２１への戻り側の温水も上昇させることができるため燃費の改善にも多大な効果を奏するものである。
【００３５】
また、運転初期は特性（Ｂ）の温水温度の変化でも判るように高温の温水が放熱装置２２に供給されることになるため、暖房の立ち上がり特性も極めて良好な特性を示し、使用感においても多大な効果を奏するものである。
【００３６】
（実施例２）
まず、図３を用いて本発明の実施例２の温水暖房装置の構成を説明する。
【００３７】
実施例１と同一部分は同一番号を付与して説明を省略する。
【００３８】
実施例２は１台の熱源機２１で約８０℃の温水を供給して温風暖房を行う放熱機２６と、約６０℃の温水を供給して床暖房パネルで暖房を行う放熱機２２を併用運転する場合の温水暖房装置に関するものである。
【００３９】
放熱機２６は温水を熱交換するための熱交換器２６ａと室内空気を吸引し温風を送出する温風ファン２６ｂ等を備えた放熱機で、熱源機２１と往き側温水経路２３ｂおよび戻り側温水経路２４ｂにより循環経路を構成している。２２は内部に放熱パイプ２２ａを埋設した床暖房パネルからなる放熱機で、熱源機２１と往き側温水経路２３ａおよび戻り側温水経路２４ａにより循環経路を構成している。２５は前記床暖房パネルからなる放熱機２２の循環経路の往き側温水経路２３ａと戻り側温水経路２４ａを二重構造とし、往き側温水を戻り側温水で熱交換するようにした温水熱交換器で、内側に高温の温水が流れる往き側温水経路２３ａで構成した熱交換部２５ａと、その周囲を満たすように戻り側温水を貯湯する缶体２５ｂで構成している。
【００４０】
次に、上記のように構成された温水暖房装置の動作について説明する。
【００４１】
まず、熱源機２１で所定温度の温水が作られ、熱源機２１に備えられた循環ポンプ（図示せず）で往き側温水経路２３ａ、２３ｂを経由して、床暖房パネルからなる放熱機２２と放熱機２６に搬送される。そして、放熱機２６では熱交換器２６ａで吸引された室内空気が熱交換され温風ファン２６ａにより室内に温風として送出され、室内の暖房が行われる。この温風暖房の場合は比較的高温の温風が要求されるため温水温度も熱源機２１より供給される高温の温水を熱交換器２６ａを介して循環させることで満足できる。
【００４２】
しかし、床暖房パネルからなる放熱機２２に供給される温水は温度が高すぎると実施例１でも述べたように使用者は暑く感じ不快感を持つものである。このため床暖房パネルからなる放熱機２２の循環経路には往き側温水経路２３ａと戻り側温水経路２４ａを二重構造とした温水熱交換器２５を配して、放熱機２２に供給する温水の温度を下げるようにしている。つまり、温水熱交換器２５には往き側温水が流れる熱交換部２５ａとその周囲を満たすように放熱装置２２で温度が下がった戻り側温水が流れる缶体２５ｂを備え、熱源機２１より供給される高温の温水を温度の下がった戻り側温水により熱交換するようにしている。
【００４３】
そして、放熱機２２に供給する温水温度を下げるとともに熱源機２１に戻る戻り側温水温度を上昇するようにしている。
【００４４】
このように、温風暖房を行う放熱機２６と床暖房を行う放熱機２２を同時併用運転する場合でもその目的に応じた温度の温水を複雑な温水回路構成を用いることなく、安定して供給することができるものである。
【００４５】
（実施例３）
まず、図４を用いて本発明の実施例３の温水暖房装置の温水熱交換器の構成を説明する。
【００４６】
実施例１と同一部分は同一番号を付与して説明を省略する。
【００４７】
実施例３は温水熱交換器２５の具体的構成を示すものである。
【００４８】
２５ｇは熱交換部２５ａを構成する螺旋状に構成した温水管で、缶体２５ｂ内に配設され、両端に往き側入口接続部２５ｃと往き側出口接続部２５ｄに接続されている。また、この温水管２５ｇはその周囲を戻り側入口接続部２５ｅと戻り側出口接続部２５ｆより流入出する戻り側温水により満たされた状態となり、温水管２５ｇ内を流れる往き側温水は前記戻り側温水により熱交換される。
【００４９】
次に、上記構成においてその作用を説明する。
【００５０】
まず、熱源機２１より供給される高温の往き側温水は往き側入口接続部２５ｃより流入し螺旋状に構成した温水管２５ｇを通って往き側出口接続部２５ｄより流出する。この流出した温水は床暖房パネル等の放熱機２２を経由して再度温水熱交換器２５の缶体２５ｂ側に設けた戻り側入口接続部２５ｅより流入し、缶体２５ｂ内を通って戻り側出口接続部２５ｆより流出する。そして、熱源機２１の戻り側に戻る。このとき温水熱交換器２５では螺旋状に構成した温水管２５ｇ内を流れる温水が缶体２５ｂ内の戻り側温水により熱交換されて、温度を下げて往き側出口接続部２５ｄより流出し、缶体２５ｂ内の戻り側温水は温度を上昇して戻り側出口接続部２５ｆより流出する。
【００５１】
また、熱交換部２５ａを構成する温水管２５ｇを螺旋状に構成することで、戻り側温水との熱交換面積を増大させることができ、温水熱交換器２５のコンパクト化が図れるものである。
【００５２】
このように、温水管２５ｇを螺旋状にして熱交換部２５ａを構成することで、温水熱交換器２５のコンパクト化が図れるとともに床暖房パネルからなる放熱機２２へ供給する温水の温度を下げ、熱源機２１への戻り側温水の温度を上昇させるという効果的な熱交換が行えるものである。
【００５３】
（実施例４）
まず、図５を用いて本発明の実施例４の温水暖房装置の温水熱交換器の構成を説明する。
【００５４】
実施例１と同一部分は同一番号を付与して説明を省略する。
【００５５】
実施例４は温水熱交換器２５の別の具体的構成を示すものである。
【００５６】
２５ｈは缶体２５ｂ内に設けられた往き側温水が流れる温水管で、放熱フィン２５ｉが取り付けられ、両端に往き側入口接続部２５ｃと往き側出口接続部２５ｄに接続されている。また、この温水管２５ｈはその周囲を戻り側入口接続部２５ｅと戻り側出口接続部２５ｆより流入出する戻り側温水により満たされた状態となり、温水管２５ｈ内を流れる往き側温水は前記戻り側温水により熱交換される。
【００５７】
次に、上記構成においてその作用を説明する。
【００５８】
まず、熱源機２１より供給される高温の往き側温水は往き側入口接続部２５ｃより流入し放熱フィン２５ｉを取り付けた温水管２５ｈを通って往き側出口接続部２５ｄより流出する。この流出した温水は床暖房パネルの放熱機２２を経由して再度温水熱交換器２５の缶体２５ｂ側に設けた戻り側入口接続部２５ｅより流入し、缶体２５ｂ内を通って戻り側出口接続部２５ｆより流出する。そして、熱源機２１の戻り側に戻る。このとき温水熱交換器２５では放熱フィン２５ｉを取り付けた温水管２５ｉ内を流れる温水が缶体２５ｂ内の戻り側温水により熱交換されて、温度を下げて往き側出口接続部２５ｄより流出し、缶体２５ｂ内の戻り側温水は温度を上昇して戻り側出口接続部２５ｆより流出する。
【００５９】
また、熱交換部２５ａを構成する温水管２５ｈに放熱フィン２５ｉを取り付けることで、戻り側温水との熱交換面積をさらに増大して熱交換効率を高め、床暖房パネルからなる放熱機２２に供給する温水をより所望される温度に近づけることができ、かつ温水熱交換器２５のコンパクト化も図れるものである。
【００６０】
このように、温水管２５ｈに放熱フィン２５ｉを取り付けた構成にすることで、温水熱交換器２５のコンパクト化が図れるとともに床暖房パネルからなる放熱機へ供給する温水の温度を下げ、熱源機２１への戻り側温水の温度を上昇させるという効果的な熱交換が行えるものである。
【００６１】
（実施例５）
まず、図６を用いて本発明の実施例５の温水暖房装置の温水熱交換器の構成を説明する。
【００６２】
実施例１と同一部分は同一番号を付与して説明を省略する。
【００６３】
２８は戻り側出口接続部２５ｆに取り付けた流量調節バルブで、温水熱交換器２５を流れる温水量を調節するようにしている。
【００６４】
そして、この温水熱交換器２５を流れる温水量を調節することで、温水管２５ｇ内を流れる往き側温水と缶体２５ｂ内の戻り側温水の熱交換状態を調節するようにして、往き側出口接続部２５ｄより流出する温水の温度を調節し、床暖房パネルからなる放熱機２２に供給するようにしている。
【００６５】
これにより、床暖房パネルの容量などに応じて供給する温水の温度を任意に調節することができ、より使い勝手のよいものとなる。
【００６６】
【発明の効果】
以上説明したように請求項１の発明によれば、温水を供給する熱源機と、前記温水を熱交換し暖められた空気を送風機で室内に送出する放熱機と、前記温水を循環して室内を暖房する床暖房パネルからなる放熱機と、前記熱源機と各放熱機との間を温水を循環する温水配管からなる温水経路を備え、前記熱源機と床暖房パネルからなる放熱機を接続する温水経路の適所に、往き側の温水を戻り側の温水で熱交換させるようにした温水熱交換器を設け、前記温水熱交換器は内側に高温の温水が流れる温水経路を配し、その周囲を満たすように低温の温水が流れる温水経路を設け密閉された缶体構造よりなることで、往き側温水の温度を下げ、戻り側温水の温度を上昇させるようにすることができるため、微少流量にして温水温度を調節するという煩わしい作業を必要とせず、温度の低い温水で暖房をする床暖房への温水供給が可能となり、さらに戻り側温水温度を上昇するため熱源機の燃費も改善することができる。
【００６７】
また、放熱機を用いた温風暖房と床暖房パネルに温水を循環して暖房する床暖房を同一経路で併用運転するので、床暖房側の温水配管の途中に往き側温水と戻り側温水を熱交換させるように二重構造とした温水熱交換器を設けることで、床暖房パネルには温度の低い温水を供給し、放熱機側には熱源機より直接高温の温水を供給することができる。このように、同一経路において異なる温度の温水を確保するのに複雑な構成を必要とせず、簡単な構成で安定して所望の温水を供給することができる。
【００６８】
また、熱源機から供給される高温の往き側温水経路を内側に配し、その周囲を満たすように放熱装置で損失した温度の低い戻り側温水経路を所定の容量を確保するように缶体構造とすることで、往き側温水と戻り側温水の熱交換を効果的におこなうことができ床暖房で要望される温度の低い温水を確保することができる。
【００６９】
また、請求項２の発明によれば、温水熱交換器の内側に配した往き側温水経路を螺旋状にしたパイプで形成することで、戻り側温水との熱交換面積を増大して、コンパクトな形状で効果的に熱交換を行うことができる。
【００７０】
また、請求項３の発明によれば、温水熱交換器の内側に配した往き側温水管に熱交換用の放熱フィンを取り付け、戻り側温水との熱交換面積をより増大させることで、熱交換効率を改善しコンパクト化を図ることができる。
【００７１】
また、請求項４の発明によれば、戻り温水経路を形成する缶体を樹脂材料等を用いた断熱構造とすることで、缶体からの放熱を抑制し、戻り側の温水温度が低下するのを防止して、効果的な熱交換を行うことができる。
【００７２】
また、請求項５の発明によれば、温水熱交換器内における往き側温水と戻り側温水が全体的に熱交換するようにし、戻り側温水経路のショートサーキットによる不完全な熱交換を防止することで効果的に熱交換を行うことができる。
【００７３】
また、請求項６の発明によれば、温水熱交換器を流れる流量を調節することで、床暖房パネル等の放熱装置に供給する温水の温度を調節することができるため、床暖房パネルの容量などに応じて容易に温度調節が可能となり、使い勝手を極めて向上することができる。
【図面の簡単な説明】
【図１】  本発明の実施例１の温水暖房装置の構成図
【図２】  同温水暖房装置の温水熱交換器の各部温水温度を示す図
【図３】  本発明の実施例２の温水暖房装置の構成図
【図４】  本発明の実施例３の温水暖房装置の温水熱交換器の構成図
【図５】  本発明の実施例４の温水暖房装置の温水熱交換器の構成図
【図６】  本発明の実施例５の温水暖房装置の温水熱交換器の構成図
【図７】  従来の温水暖房装置の構成図
【符号の説明】
２１  熱源機
２２，２６  放熱機
２３  往き側温水経路
２４  戻り側温水経路
２５  温水熱交換器
２５ａ  熱交換部
２５ｂ  缶体
２５ｇ  温水管
２５ｈ  温水管
２５ｉ  放熱フィン
２６   放熱機
２７   床暖房パネル
２８   流量調節バルブ
【図１】
0003832058.tif 000002
【図２】
0003832058.tif 000003
【図３】
0003832058.tif 000004
【図４】
0003832058.tif 000005
【図５】
0003832058.tif 000006
【図６】
0003832058.tif 000007
【図７】
0003832058.tif 000008